(57)【要約】【課題】シール材を大きくすることなく、圧接力を所望の範囲に設定することのできるシール材及びこれを備えたテレスコピックカバーの提供。【解決手段】シール材５を弾性を有する平板状とする。シール材５の先端部５ａを一方の板材４の板面に摺動可能に圧接する。シール材５の基端部５ｂを他方の板材４に取り付ける。シール材５を湾曲状態で装着する。シール材５の基端部５ｂを一方の板材４の板面に対して傾斜して取り付ける。シール材５で、互いにスライドする二枚の板材４の間をシールする。【選択図】  図２
2014087918.tif 000002
【特許請求の範囲】
【請求項１】
互いにスライドする二枚の板材の間をシールするシール材であって、弾性を有する平板状とされると共に、先端部を一方の板材の板面に摺動可能に圧接しつつ基端部を他方の板材に取り付けられて湾曲状態で装着され、前記基端部は、前記一方の板材の板面に対して傾斜して取り付けられたことを特徴とするシール材。
【請求項２】
前記他方の板材の端部に、当該シール材の前記基端部を取り付ける取付部が設けられ、該取付部は、前記一方の板材と反対側かつ前記他方の板材の中央部に向かって突出するよう傾斜されたことを特徴とする請求項１に記載のシール材。
【請求項３】
前記一方の板材の板面に対する当該シール材の前記基端部の傾斜角度が２０°〜７０°に設定されたことを特徴とする請求項１又は２に記載のシール材。
【請求項４】
産業機械の移動部を覆うセンターカバーと、該センターカバーの側方に設けられて前記移動部の側方を覆う複数枚のサイドカバーとを備え、複数枚の前記サイドカバーは、前記移動部の側方を覆いつつ前記移動部の移動に伴うセンターカバーの移動を許容するよう、互いに重ね合わせ可能かつスライド可能とされたテレスコピックカバーであって、互いにスライドする複数枚の前記サイドカバーの間が請求項１、２又は３に記載のシール材によってシールされたことを特徴とするテレスコピックカバー。
【発明の詳細な説明】
【技術分野】
【０００１】
本発明は、互いにスライドする板材の間をシールするシール材及びこれを備えたテレスコピックカバーに関するものである。
【背景技術】
【０００２】
例えば、主軸頭を有して金属を切削する切削機械などの産業機械のうち、その主軸頭などが移動可能とされた機械では、金属の切粉などが主軸頭などの移動部の移動機構に侵入するのを防止するよう、移動部を外側に露出させつつその周囲を覆うと共に、移動部の移動に追随するテレスコピックカバーを設けることがある。
【０００３】
このテレスコピックカバーは、移動部を露出させつつ一体的に移動して周囲を覆うセンターカバーと、このセンターカバーの側方に設けられて移動部の側方を覆う複数枚のサイドカバーとを備えている。複数枚のサイドカバーは、移動部の側方を覆いつつ移動部の移動に伴うセンターカバーの移動を許容するよう、互いに重ね合わせ可能かつスライド可能とされ、隣接するサイドカバーの間に、その隙間からテレスコピックカバーの内側に金属の切粉が侵入するのを阻止するシール材が設けられている。
【０００４】
シール材としては、例えば、特許文献１に、金属薄板製のシール材１０１の上部を摺動箇所１０２に取り付けると共に、シール材１０１の下部をノの字状に湾曲させて強力な弾力性を持たせ、下部先端を被摺動面１０３に押圧して摺動させるようにしたものが開示されている（図４参照）。また、特許文献１には、金属薄板製の薄板を逆くの字に折り曲げてシール材１０４を形成し、シール材１０４に適度の弾力性を持たせたものが開示されている（図５参照）。
【先行技術文献】
【特許文献】
【０００５】
【特許文献１】特開平０８−６１５０９号公報（段落番号００１４、００１５、００２０、００２６、００２７、図１、図３）
【発明の概要】
【発明が解決しようとする課題】
【０００６】
ところが、図４に示す特許文献１のシール材は、ノの字状に湾曲させて、その強力な弾力性によって下部先端を被摺動面に押圧して圧接するものであり、その圧接力によってテレスコピックカバーのサイドカバーが大きく変形して、サイドカバー間に隙間を生じさせるおそれがある。
【０００７】
これに対して、シール材を大きくして大きな曲率半径で湾曲させることによって、圧接力を小さくすることができるが、シール材を大きくする分、サイドカバーのうちのシール材が占める範囲が広くなり、このシール材が邪魔になって、サイドカバーをスライドさせる際のストロークが小さくなるおそれがある。また、シール材を薄くして弾力性を弱めることも考えられるが、所定の強度を確保しつつシール材を薄くするのには限界がある。
【０００８】
また、図５に示す特許文献１のシール材は、シール材を折り曲げて形成することによって弾力性を弱めたものであるが、その折曲加工が難しい分、寸法精度が低下しやすく、シール材の弾性変形が想定した値よりも小さくなるおそれがある。さらに、シール材の弾性変形が小さくなりすぎると、サイドカバーの撓みや変位によって圧接力が変動しやすく、しかも、シール材を取り付けるサイドカバーが大型になるほど、その撓みや振動による変位が大きくなりやすいので、所定の圧接力でシールできないおそれがある。
【０００９】
本発明は、シール材を大きくすることなく、圧接力を所望の範囲に設定することのできるシール材及びこれを備えたテレスコピックカバーの提供を目的とする。
【課題を解決するための手段】
【００１０】
上記目的を達成するために、本発明に係るシール材は、互いにスライドする二枚の板材の間をシールするためのものであり、弾性を有する平板状とすると共に、先端部を一方の板材の板面に摺動可能に圧接しつつ基端部を他方の板材に取り付けて湾曲状態で装着し、その基端部を一方の板材の板面に対して傾斜して取り付けたものである。
【００１１】
上記構成によれば、シール材の先端部を板面に圧接して基端部を板面に対して傾斜させるので、シール材を大きな曲率半径で湾曲させることができ、シール材を大きくすることなく、先端部の圧接力を抑えることができる。しかも、シール材を平板状とするので、寸法精度を十分に高めることができ、シール材を想定した通りに弾性変形させて、圧接力を所望の範囲に設定することができる。また、シール材を大きな曲率半径で湾曲させるので、シール材を強い力で曲げる必要がなく、シール材の取付を容易にすることができる。
【００１２】
さらに、他方の板材の端部に、このシール材の基端部を取り付ける取付部を設け、この取付部を一方の板材と反対側かつ他方の板材の中央部に向かって突出するよう傾斜させるようにしてもよい。
【００１３】
この構成によると、他方の板材の端部に設ける取付部を一方の板材と反対側かつ他方の板材の中央部に向かって突出させるので、シール材を両板材の間に侵入させることなく、板面方向におけるシール材の突出長さをより小さくすることができる。これにより、一方の板材の板面におけるシール材の占める範囲を狭くすることができ、例えば、テレスコピックカバーのサイドカバーをスライドさせる際のストロークをより大きく設定することができる。
【００１４】
また、一方の板材の板面に対するこのシール材の基端部の傾斜角度を２０°〜７０°に設定するようにしてもよい。
【００１５】
この構成によると、シール材の先端部の圧接力を好適な範囲に設定することができ、その圧接力によって板材を変形させることなく、かつ十分な圧接力に設定して、確実にシールすることができる。すなわち、シール材の基端部の傾斜角度を２０°未満にすると、シール材の先端部に十分な圧接力を得て確実にシールすることができず、シール材の基端部の傾斜角度を７０°を超過する角度にすると、圧接力が強くなりすぎて板材を変形させるおそれが高まりやすい。
【００１６】
また、本発明は、上記のシール材を備えたテレスコピックカバーを提供する。すなわち、本発明は、産業機械の移動部を覆うセンターカバーと、該センターカバーの側方に設けられて前記移動部の側方を覆う複数枚のサイドカバーとを備え、複数枚の前記サイドカバーは、前記移動部の側方を覆いつつ前記移動部の移動に伴うセンターカバーの移動を許容するよう、互いに重ね合わせ可能かつスライド可能とされたテレスコピックカバーであって、互いにスライドする複数枚の前記サイドカバーの間が上記のシール材によってシールされたことを特徴とするテレスコピックカバーを提供する。この構成によると、上記のシール材の構成を採用することによる効果と同じ効果を奏することができる。
【発明の効果】
【００１７】
以上のとおり、本発明によると、シール材を弾性を有する平板状とし、その先端部を板面に圧接して基端部を板面に対して傾斜させるので、シール材を大きな曲率半径で湾曲させると共に、寸法精度を十分に高めることができる。これにより、シール材を大きくすることなく、先端部の圧接力を抑えると共に、シール材を想定した通りに弾性変形させて、圧接力を所望の範囲に設定することができる。
【図面の簡単な説明】
【００１８】
【図１】本発明に係るテレスコピックカバーの斜視図
【図２】テレスコピックカバーに装着したシール材の断面図
【図３】シール材の別の形態を示す断面図
【図４】従来のシール材の断面図
【図５】従来の別のシール材の断面図
【発明を実施するための形態】
【００１９】
以下、本発明に係るシール材及びこれを備えたテレスコピックカバーを実施するための形態について、図面を用いて説明する。
【００２０】
図１に示すように、テレスコピックカバー１は、例えば、金属を切削する切削機械などの産業機械の主軸頭などの移動部２の移動機構に金属の切粉などが侵入するのを防止するためのものであり、移動部２を覆うセンターカバー３と、センターカバー３の側方に設けられて移動部２の側方を覆う複数枚のサイドカバー４とを備え、その複数枚のサイドカバー４が、移動部２の側方を覆いつつ移動部２の移動に伴うセンターカバー３の移動を許容するよう、互いに重ね合わせ可能かつスライド可能とされ、互いにスライドする複数枚のサイドカバー４の間をワイパーとしてのシール材５によってシールしたものである。
【００２１】
センターカバー３は、例えば金属製の板材とされ、主軸頭などの移動部２を外側に露出させつつその周囲を覆うと共に、上下に配置されたレール６ａ、６ｂに沿って左右方向に移動して、移動部２の左右方向の移動に追随するようになっている。このセンターカバー３には、さらにセンターテレスコピックカバー（図示せず）を設けるなどして、移動部２を上側位置２ａと下側位置２ｂとの間で、上下方向に移動を許容するようにしてもよい。
【００２２】
サイドカバー４は、例えば金属製の板材とされ、センターカバー３の左右両側にそれぞれ複数枚ずつ設けられたサイドカバー４ａ、４ｂ、４ｃ、４ｄのうちのサイドカバー４ａがセンターカバー３と一体に移動するよう固定されている。さらに、複数枚のサイドカバー４ａ、４ｂ、４ｃ、４ｄが、パンタグラフ機構などによって連動して、レール６ａ、６ｂに沿って順次異なる移動量で移動することにより、複数枚のサイドカバー４ａ、４ｂ、４ｃ、４ｄが全体として左右方向に伸縮して、センターカバー３の移動を許容する。
【００２３】
サイドカバー４の左右方向で外側には、カバー収容部７ａ、７ｂが設けられ、互いに重なり合って全体として縮んだサイドカバー４を収容するようになっている。なお、図１において、センターカバー３の左側のサイドカバー４ａ、４ｂ、４ｃ、４ｄは、全体として左右方向に縮んでカバー収容部７ａに収容された状態を示し、センターカバー３の右側のサイドカバー４ａ、４ｂ、４ｃ、４ｄは、カバー収容部７ｂから引き出されて、全体として左右方向に伸ばされた状態を示す。また、左側のサイドカバー４ａは、他のサイドカバー４ｂ、４ｃ、４ｄに隠されている。
【００２４】
図２に示すように、シール材５は、互いにスライドする二枚の板材としてのサイドカバー４ａ、４ｂ、４ｃ、４ｄの間をシールしつつ、ワイパーとしてサイドカバー４ｂ、４ｃ、４ｄの板面を清掃するためのものであり、例えば、厚さが０．０５ｍｍ〜０．１０ｍｍのばね用ステンレスなどの弾性を有する平板状の帯板とされる。なお、シール材５は、弾力性が強い素材であれば、焼き入れリボン鋼やベリームカッパーなど、どのような素材であってもよい。
【００２５】
このシール材５は、先端部５ａを一方のサイドカバー４ｂ、４ｃ、４ｄの板面に、例えば１００ｍｍ当たり約２Ｎ〜５Ｎ（約２００ｇ〜５００ｇ）の圧接力で摺動可能に圧接しつつ、基端部５ｂを他方のサイドカバー４ａ、４ｂ、４ｃの端部に設けられた取付部８に取り付けられて、板幅方向で湾曲状態に装着される。
【００２６】
取付部８は、一方のサイドカバー４ｂ、４ｃ、４ｄの板面に対して、例えば２０°〜７０°程度の傾斜角度で傾斜して、一方のサイドカバー４ｂ、４ｃ、４ｄと反対側かつ他方のサイドカバー４ａ、４ｂ、４ｃの中央部に向かって突出するよう、他方のサイドカバー４ａ、４ｂ、４ｃの端部を折り曲げて形成されている。この取付部８に、シール材５の基端部５ｂをシール材押え板９で押えつつボルト締結することにより、シール材５の基端部５ｂが一方のサイドカバー４ｂ、４ｃ、４ｄの板面に対して傾斜して取り付けられている。
【００２７】
上記構成によれば、シール材５によってサイドカバー４ａ、４ｂ、４ｃ、４ｄの間をシールするので、サイドカバー４ａ、４ｂ、４ｃ、４ｄを互いにスライド可能にしつつ、金属の切粉などがサイドカバー４ａ、４ｂ、４ｃ、４ｄの間からテレスコピックカバー１の内側に侵入するのを阻止することができ、産業機械の移動機構を保護することができる。しかも、シール材５の先端部５ａをサイドカバー４ｂ、４ｃ、４ｄの板面に摺動可能に圧接するので、シール材５をワイパーとして、サイドカバー４ｂ、４ｃ、４ｄの板面を清掃することができる。
【００２８】
また、シール材５の基端部５ｂをサイドカバー４ｂ、４ｃ、４ｄの板面に対して傾斜して取り付けるので、シール材５を大きくすることなく、シール材５を大きな曲率半径で湾曲させることができる。これにより、シール材５を小さな力で曲げて容易に取り付けることができると共に、先端部５ａの圧接力を抑えて、圧接力によるサイドカバー４ｂ、４ｃ、４ｄの変形を抑えることができる。
【００２９】
なお、本発明は、上記の実施の形態に限定されるものではなく、本発明の範囲内において、適宜変更を加えることができる。例えば、図３に示すように、一方のサイドカバー４ｂと反対側かつ他方のサイドカバー４ａの中央部に向かって突出するよう、他方のサイドカバー４ａの端部を折り曲げて取付部８を形成するだけでなく、一方のサイドカバー４ａの側かつ他方のセンターカバー３の左右で外側に向かって突出するよう、センターカバー３の端部に取付部１０を取り付けてもよい。
【符号の説明】
【００３０】
１      テレスコピックカバー
２      移動部
２ａ    上側位置
２ｂ    下側位置
３      センターカバー
４、４ａ、４ｂ、４ｃ、４ｄ  サイドカバー
５      シール材
５ａ    先端部
５ｂ    基端部
６ａ、６ｂ  レール
７ａ、７ｂ  カバー収容部
８      取付部
９      シール材押え板
１０    取付部
【図１】
2014087918.tif 000003
【図２】
2014087918.tif 000004
【図３】
2014087918.tif 000005
【図４】
2014087918.tif 000006
【図５】
2014087918.tif 000007